(57)【特許請求の範囲】
【請求項１】
符号分割多重接続通信システムのシステム・アクセス状態においてワイヤレス通信装置をハンドオフするための方法であって、
ａ）ページング・チャネルを復調することができる、近隣集合内の基地局の少なくとも１つの近隣パイロットを決定するステップと、
ｂ）前記近隣集合内の基地局の少なくとも１つの近隣パイロットの識別子を含むアクセス・チャネル・メッセージを生成するステップと、
ｃ）前記アクセス・チャネル・メッセージを送信するステップと、
ｄ）アクティブパイロットに第１フィンガ受信機を、近隣集合内の基地局の前記アクセス・チャネル・メッセージに識別子が含まれている前記少なくとも１つの近隣パイロットに第２フィンガ受信機を割り当てるステップと、
ｅ）前記アクティブパイロット、及び近隣集合内の基地局の前記少なくとも１つの近隣パイロットのページング・チャネルを、前記ワイヤレス通信装置が前記システム・アクセス状態にある間に同時に復調するステップとを備える方法。
【請求項２】
前記アクセス・チャネル・メッセージ受信の肯定応答が受信されるまで、ステップａ）〜ｃ）を繰り返す請求項１記載の方法。
【請求項３】
ステップｃ）の実行後に前記アクセス・チャネル受信の前記肯定応答が第１所定時間期間内に受信されたか否かを判定するステップと、
前記アクセス・チャネル・メッセージ受信の前記肯定応答が前記第１所定期間内に受信されない場合に、前記アクセス・チャネル・メッセージの送信が所定の最大数だけ実行されたか否かを判定するステップと、
前記アクセス・チャネル・メッセージの送信が前記所定の最大数だけ実行されなかった場合、前記ステップｂ）に戻る前に第２所定期間だけ待機するステップとをさらに備える請求項２記載の方法。
【請求項４】
各々がパイロット信号を送信する複数の基地局（１０２）を有する符号分割多重接続通信システムにおいて、システム・アクセス状態にある間にワイヤレス通信装置（１００）をハンドオフし、アクティブ集合内の基地局のアクティブパイロットと近隣集合内の複数
の基地局の複数の近隣パイロットとを記憶するワイヤレス通信装置（１００）であって、
複数の近隣パイロットのうち、ページング・チャネルを復調することのできる基地局の少なくとも１つの近隣パイロットを決定するサーチャ受信機（１０９）と、
前記基地局の前記少なくとも１つの近隣パイロットの識別子を含むアクセス・チャネル・メッセージを生成する論理制御回路（１１３）と、
前記アクセス・チャネル・メッセージを送信するアナログ・フロント・エンド（１０３）と、
複数のフィンガ受信機（１０７）とを備え、
前記論理制御回路（１１３）は、前記複数のフィンガ受信機（１０７）のうち第１フィンガ受信機（１０７）を前記アクティブ集合内の基地局のアクティブパイロットに、前記複数のフィンガ受信機（１０７）のうち第２フィンガ受信機（１０７）を前記アクセス・チャネル・メッセージに識別子が含まれている、近隣集合内の基地局の前記少なくとも１つの近隣パイロットに割り当て、
前記第１フィンガ受信機（１０７）および第２フィンガ受信機（１０７）はそれぞれ同時に、前記アクティブ集合内の基地局の前記アクティブパイロット及び前記近隣集合内の基地局の前記少なくとも１つの近隣パイロットのページング・チャネルを、前記ワイヤレス通信装置（１００）が前記システム・アクセス状態にある間に復調することを特徴とするワイヤレス通信装置（１００）。
【請求項５】
パイロット信号を送信するアクティブ基地局（１０２）と、
各々がパイロット信号を送信する複数の近隣基地局（１０２）と、
前記アクティブ基地局のパイロット信号を監視し、前記近隣基地局のパイロット信号強度を測定し、および、システム・アクセス状態にある間に初期アクセス・プローブにおいて前記近隣基地局（１０２）のパイロット信号の測定強度に対応する近隣基地局（１０２）の識別子を提供するワイヤレス通信装置（１００）と、前記識別子は関連するページング・チャネルを復調するために充分な被測定近隣パイロット強度を有する少なくとも１つの近隣基地局を示すことと、前記ワイヤレス通信装置（１００）は前記アクティブ基地局のパイロット信号と前記少なくとも１つの近隣基地局とを同時に監視することと、
前記識別子を受信し、前記識別子に従って前記近隣基地局（１０２）を割り振るシステム・インフラストラクチャと、割り振られた前記近隣基地局（１０２）の各々がページング・チャネル・メッセージを送信することとを備え、前記ワイヤレス通信装置（１００）が前記少なくとも１つの近隣基地局からのページング・チャネル・メッセージおよび、前記少なくとも１つのアクティブ基地局からのページング・チャネル・メッセージを同時に復調することを特徴とする符号分割多重接続通信システム。
【発明の詳細な説明】
【０００１】
【産業上の利用分野】
本発明は、一般にデジタル通信の分野に関し、さらに詳しくは、符号分割多重接続（CDMA: Code-Division Multiple Access ）を採用するセルラまたはパーソナル通信システム（PCS: Personal Communication System）においてソフト・ハンドオフを行うシステム，方法およびワイヤレス通信装置に関する。本発明は広範囲の用途に向くが、セルラ無線電話および基地局での使用に特に適しており、それに関連して特定的に説明される。
【０００２】
【従来の技術および発明が解決しようとする課題】
暫定規準IS-95-A （IS-95 ）は、セルラ・システムでのCDMAの構築に関して、米国電気通信工業会に採用される。CDMAを装備したシステムにおいて、移動局は地理的領域に散らばる複数の基地局のうちの任意の１つ以上と通信を行う。各基地局は、同一の拡散符号を有するが符号位相オフセットが異なるパイロット信号を連続して送信する。位相オフセットによってパイロット信号を互いに区別することが可能になり、ひいては基地局を区別することができる。以下の説明においては、基地局のパイロット信号を単にパイロットと呼ぶ。移動局は、パイロットを監視して、パイロットの被受信エネルギを測定する。
【０００３】
IS-95 は、移動局と基地局との間の通信のための状態およびチャネル数を定義する。
【０００４】
たとえば、トラフィック状態における移動局制御では、基地局は順方向トラフィック・チャネル上で移動局と通信を行い、移動局は逆方向トラフィック・チャネル上で基地局と通信を行う。呼の間は、移動局は総称してパイロット集合と呼ばれる４組のパイロットを常に監視して維持しなければならない。総称してパイロット集合と呼ばれるアクティブ集合，候補集合，近隣集合および残存集合のアクティブ集合は、移動局に割り当てられる順方向トラフィック・チャネルに伴うパイロットである。候補集合は、現在はアクティブ集合にないが、関連する順方向トラフィック・チャネルを良好に復調することができることを示す充分な強度をもって特定の移動局に受信されたパイロットである。近隣集合は、現在はアクティブ集合または候補集合にはないが、ハンドオフの候補になりうるパイロットである。残存集合は、現在のCDMA周波数割当に関して現行システム内のすべての可能性のあるパイロットから、近隣集合，候補集合およびアクティブ集合内のパイロットを除いたパイロットである。
【０００５】
移動局は、閾値よりも充分に強いパイロットを求めて、近隣の基地局のパイロット・チャネルを常に検索する。移動局がある基地局から他の基地局にカバーされる領域に移動すると、移動局は特定のパイロットを、近隣集合から候補集合に昇格させ、パイロット強度測定メッセージを介して、近隣集合から候補集合への昇格を基地局または基地局群に通知する。基地局は、パイロット強度測定メッセージによりアクティブ集合を決定し、ハンドオフ指示メッセージを介して新しいアクティブ集合を移動局に通知する。移動局が古い基地局との通信を終了しないうちに、新しいアクティブ集合内の新しい基地局と通信を開始すると、「ソフト・ハンドオフ」が発生する。
【０００６】
移動局アイドル状態においては、移動局はアクティブ集合の１つの基地局から制御情報およびページに関して送信されるページング・チャネルを監視する。さらに、移動局は、現在監視される基地局のパイロットよりも充分に強いパイロットを求めて、近隣基地局のパイロット・チャネルを継続して検索する。充分に強いパイロットが発見されると、より強いパイロットを有する近隣基地局への「アイドル・ハンドオフ」が起こり、移動局は、この基地局からのページング・チャネルを監視するようになる。
【０００７】
システム・アクセス状態においては、移動局はページング・チャネル上で制御情報を常に受信し、さらに発呼，ページへの応答および登録などの短い信号化メッセージを、アクセス・チャネル上で被監視基地局に送信する。システム・アクセス状態においては、移動局はそのパイロット検索を続けて、その近隣集合を更新するが、IS-95 のセクション６．６．３．１．３により、またトラフィック状態および移動局アイドル状態の移動局制御とは対照的に、移動局はそのアクティブ集合を更新することを許されず、そのために他の基地局にハンドオフすることができない。
【０００８】
移動局がシステム・アクセス状態においてメッセージを送付するときはいつでも、それが監視する１つの基地局に対して「アクセス試行」を行わなければならない。アクセス試行とは、基地局からそのメッセージに関する肯定応答を受信するまで、メッセージを繰り返し送信するプロセスである。アクセス試行中の各送信は「アクセス・プローブ」と呼ばれ、アクセス・チャネル・プレアンブルとアクセス・チャネルメッセージとによって構成される。アクセス・チャネル・メッセージの内容は、信号化メッセージの種類により決まる。IS-95 のセクション６．６．３．１．１．１により、同一メッセージが各アクセス・プローブ内に送信される。
【０００９】
システム・アクセス状態において移動局が呼を発するか、あるいはページに応答して、トラフィック状態での移動局制御において呼を準備するといつでも、IS-95 が特定のプロトコルを指定する。ここではプロトコルのある部分だけを説明する。
【００１０】
まず移動局は、アクセス・チャネル上に発呼メッセージを送付する。基地局はこの発呼メッセージの受信に成功すると、ページング・チャネル上にチャネル割当メッセージを送付する。チャネル割当メッセージは、被監視基地局のトラフィック符号チャネルを指定し、移動局による復調を行う。移動局は、指定されたトラフィック符号チャネルに同調して、順方向トラフィック・チャネルを受信する。基地局は、逆方向トラフィック・チャネル上に移動局を捕捉する。移動局は、逆方向トラフィック・チャネル上に、現在の候補集合を示すパイロット強度測定メッセージを送付する。基地局は、順方向トラフィック・チャネル上に、アクティブ集合を指定する拡張ハンドオフ指示メッセージを移動局に対して送信する。拡張ハンドオフ指示メッセージが１つの被監視基地局と他の基地局とを指定すると、異なる基地局に対してソフト・ハンドオフが起こり、呼は、アクティブ集合のパイロットにより表される基地局のトラフィック符号チャネルから復調される。
【００１１】
このプロトコルを用いて、損失呼および呼品質不良受信が観測された。これは、ソフト・ハンドオフが発生するまで移動局がトラフィック・チャネル上で１つの基地局としか通信しないために起こる。
【００１２】
この問題を解決するために、IS-95 に対して提案される修正案は、トラフィック・チャネルが捕捉されるまで待たずに、アクセス・チャネル上でパイロット信号強度を報告し、候補集合の特定のメンバーを指定することにより、移動局をより迅速にソフト・ハンドオフに移す方法である。すなわち、移動局はパイロット信号強度を測定し、初期のアクセス・チャネル・メッセージに、ソフト・ハンドオフに適した基地局の識別子を加える。基地局は、アクティブ集合をチャネル割当メッセージに含める。その結果、移動局はトラフィック・チャネルを捕捉する前にアクティブ集合を知ることになり、１つではなく複数の基地局からトラフィック・チャネルを即座に捕捉することができる。
【００１３】
この提案される解決策には、アクセス試行を成功させるために複数のアクセス・プローブが必要とされ、連続するアクセス・プローブ間で条件が変わると問題がある。連続するアクセス・プローブ間の時間は、数百ミリ秒程度である。この時間の間に、パイロット信号強度が変わることがある。しかし、各アクセス・プローブで同じメッセージが送付されるので、初期のアクセス・プローブで移動局により報告されたのと同じパイロット強度測定値が、後続のアクセス・プローブでも報告される。基地局は、後続のアクセス・プローブでは古くなったパイロット信号強度測定情報を受信するので、アクティブ集合内で最もハンドオフに適した基地局を指定することができないことがある。その結果、呼品質不良または損失呼が起こる。
【００１４】
さらに、移動局はシステム・アクセス状態にある間に１つのアクティブ・パイロットのページング・チャネルを監視するので、呼準備の遅延や失敗が起こる。受信状態が悪いと、ページング・チャネル・メッセージが受信されなかったり、不正確に受信されることになる。
【００１５】
従って、システム・アクセス状態中にトラフィック・チャネルおよびページング・チャネル上にソフト・ハンドオフを行うシステム，方法および装置が必要である。
【００１６】
【実施例】
本明細書において説明されるシステム，方法および装置は、その順方向トラフィック・チャネル・メッセージおよび／またはページング・チャネル・メッセージの復調を良好に行うことができる基地局の識別子を提供することにより、ソフト・ハンドオフを実行する。さらに、その順方向トラフィック・チャネル・メッセージを良好に復調することができる基地局の識別子に対応する被測定パイロット強度が、システム・インフラストラクチャに提供される。
【００１７】
本発明により、ワイヤレス通信装置は、システム・アクセス状態にある間に近隣のパイロット強度を測定し、測定されたパイロット強度に対応する基地局の識別子を初期アクセス・プローブにおいてシステム・インフラストラクチャに与える。この識別子は、関連のページング・チャネルを良好に復調することのできる充分な被測定パイロット強度を有する少なくとも１つの近隣パイロットを示す。ワイヤレス通信装置は、アクティブ・パイロットと少なくとも１つの近隣パイロットのページング・チャネルの監視を始める。システム・インフラストラクチャは、この識別子を受信し、その識別子に従ってページング・チャネル・メッセージを送信する基地局を割り振る。これにより、ソフト・ハンドオフが実行され、ワイヤレス通信装置は少なくとも１つの近隣パイロット、ならびに移動局の現在のアクティブ・パイロットからページング・チャネルを復調する。
【００１８】
本発明の別の局面により、ワイヤレス通信装置は、システム・アクセス状態にある間にパイロット信号強度を継続して測定し、被測定パイロット強度に対応する基地局の現在の識別子を各アクセス・プローブ内に提供する。基地局は、識別子を受信し、システムが現在の被測定パイロット強度に従って、ページング・チャネル・メッセージを送信する基地局を割り振る。これにより、もう一度ソフト・ハンドオフが実行され、ワイヤレス通信装置は、少なくとも１つの近隣パイロットならびにワイヤレス通信装置の現在のアクティブ・パイロットからのページング信号を復調する。
【００１９】
本発明の別の局面により、基地局は、初期のアクセス・プローブと後続のアクセス・プローブとにおいて、システム・インフラストラクチャへの被測定パイロット強度に対応する基地局の識別子を受信する。この識別子は、関連の順方向トラフィック・チャネルが良好に復調することのできる充分な被測定パイロット強度を有する少なくとも１つの近隣パイロットを示す。システム・インフラストラクチャはこの識別子を受信し、識別子と被測定パイロット強度とに従って、順方向トラフィック・チャネル・メッセージを送信する基地局を割り振る。これにより、ソフト・ハンドオフが実行され、ワイヤレス通信装置は少なくとも１つの近隣パイロットならびに移動局の現在のアクティブ・パイロットから、順方向トラフィック・チャネル・メッセージを復調する。
【００２０】
本発明は、従来のシステム，方法および装置に比べて、ページング・チャネルを同時に復調することができ、損失呼が減り、呼品質が向上するという利点を提供する。本発明の別の利点および新規の特徴は、一部は本発明の実施例が図示および説明される以下の説明に記述され、また一部は以下の詳細説明を検証することにより当業者には明白になり、あるいは本発明を実践することにより習得されよう。
【００２１】
本発明により構築される実施例に関して、詳細に参照がなされる。
【００２２】
図１は、たとえば無線電話１００などのワイヤレス通信装置のブロック図を含む、ワイヤレス通信システムの電気的ブロック図である。この図面は特に、複数の基地局１０２（１つだけを図示）から信号を受信し、無線電話１００により発される信号を送信するアンテナ１０１を図示する。アナログ・フロント・エンド１０３は、被受信信号を処理して、それをアナログ−デジタル変換器（ADC ）１０５に送る。デジタル化された被受信信号は、複数のフィンガ受信機１０７と、それと並列に接続された少なくとも１つのサーチャ受信機１０９とによって構成されるレーキ受信機に提供される。フィンガ受信機およびサーチャ受信機の動作は、一部は論理制御回路１１３により制御される。フィンガ受信機およびサーチャ受信機の出力は、論理制御回路１１３に提供され、さらに処理を受ける。
【００２３】
論理制御回路１１３は、本発明による方法を実行するための命令を指定するデータおよびソフトウェア・プログラムを格納することができ、また、アクティブ集合，近隣集合および候補集合の記録を格納することができる。論理制御回路１１３は、データを送信回路経路１１５に提供し、経路１１５はこのデータを処理して、処理済みのデータをデジタル−アナログ変換器（DAC ）１１７に提供する。DAC １１７により出力されるアナログ信号は、アナログ・フロント・エンド１０３に送られ、アンテナ１０１を介して基地局１０２に送信される。
【００２４】
論理制御回路１１３は、受信機とは別個の要素として図示されるが、論理制御回路の部分はレーキ受信機内に常駐しても、無線電話の別の要素内にあってもよいことが当業者には認識いただけよう。
【００２５】
基地局１０２は各々ページング／アクセス・チャネル，トラフィック・チャネル，同期チャネルおよびパイロット・チャネルの各々に関して、無線電話１００と同様の構造を有し（ただし、同期チャネルとパイロット・チャネルについては受信経路は必要ない）、さらに受信ダイバーシチのための複数の受信経路とアンテナとを有することもある。
【００２６】
通信システムは、切り換え，呼の配信その他の機能のために、図示されない他のインフラストラクチャ装置を必要とすることを当業者は理解頂けよう。
【００２７】
上記に構築され説明されたワイヤレス通信装置の使用と動作の方法を、図２を参照して説明する。図２は、パイロット信号強度を報告する方法２００を示す流れ図である。
【００２８】
最初に、トラフィック・チャネルでのソフト・ハンドオフについて説明する。システム・アクセス状態において、サーチャ受信機１０９は、まず近隣パイロットのパイロット強度を測定する（段階２０５）。論理制御回路１１３は、関連する順方向トラフィック・チャネルを良好に復調することのできる充分な被測定パイロット強度と、対応する初期の被測定パイロット強度とを有する近隣パイロットを有する近隣パイロットの識別子を含むアクセス・チャネル・メッセージを生成する（段階２１０）。アナログ・フロント・エンド１０３は、第１回のアクセス・プローブを実行する際に、初期の被測定パイロット強度を有するアクセス・チャネル・メッセージと対応する識別子とを送信する（段階２１５）。
【００２９】
パイロット信号強度を測定する段階（段階２２０）と、最新の被測定パイロット強度と識別子とを含むアクセス・チャネル・メッセージを生成する段階（段階２１０）と、後続のアクセス・プローブ内でアクセス・チャネル・メッセージを送信する段階とは、無線電話が、第１の所定時間期間内にアクセス・チャネル・メッセージの受信の肯定応答を受信する（段階２２５）か、あるいは最大数のアクセス・プローブが送信される（段階２３０）まで繰り返される。
【００３０】
後続のアクセス・プローブにおいて現在の被測定パイロット強度と識別子とを報告する段階は、本発明の重要な特徴である。これは、ソフト・ハンドオフに関して基地局を割り振り決定するために用いるパイロット強度測定に関する現在の情報をシステムが得ることになるためである。
【００３１】
図２を参照して、論理制御回路１１３は、第１所定時間期間内に、アクセス・チャネルの受信の肯定応答が受信されたか否かを判定する（段階２２５）。アクセス・チャネル受信の肯定応答は、チャネル割当メッセージの受信となりうる。肯定応答が受信されると方法は終了する（段階２４０）。受信されない場合は、論理制御回路１１３が、所定の最大数のアクセス・チャネル・メッセージの送信が実行されたか否かを判定する（段階２３０）。受信された場合は方法は終了する（段階２４０）。受信されない場合は、論理制御回路１１３は第２所定時間期間を待ち（段階２３５）、それから最近に測定された近隣パイロット強度と対応する識別子とを含む次のアクセス・チャネル・メッセージを生成する（段階２１０）。
【００３２】
アクセス・チャネル・メッセージに含まれる被測定近隣パイロット強度は、関連のページング・チャネルを良好に復調することのできる充分な被測定パイロット強度を有する近隣パイロットを示す。あるいは、被測定近隣パイロット強度は、関連する順方向トラフィック・チャネルを良好に復調することのできる充分な被測定パイロット強度を有する近隣パイロットと、関連するページング・チャネルを、同じ被測定近隣パイロットと同様に良好に復調することのできる充分な被測定パイロット強度を有する近隣パイロットの両方を示すことができる。
【００３３】
次にページング・チャネルにおけるソフト・ハンドオフを説明する。
【００３４】
ワイヤレス通信装置がページング・チャネルでのハンドオフ機能とページング・チャネルの同時復調を採用する場合、対応する近隣パイロットのページング・チャネルを良好に復調することができることを示す充分な被測定パイロット強度を有する近隣パイロットの識別子は、アクティブ・パイロットにより表される基地局のアクセス・チャネル上で、インフラストラクチャに対して、アクセス・チャネル・メッセージ内に連続して送信される。インフラストラクチャは、この報告された識別子と被測定パイロット強度とを用いて、ソフト・ハンドオフのための基地局を割り振り、アクティブ・パイロットおよび報告された近隣パイロットに対応する基地局のページング・チャネル上にページング・チャネル・メッセージを送信する。各アクセス・プローブのを実行後に、段階２２０において、論理制御回路１１３が複数のフィンガ受信機１０７を、アクティブ・パイロットおよび報告された近隣パイロットとに割り当て、割り当てられた受信機フィンガ１０７は、各基地局のページング・チャネルを同時に復調する。
【００３５】
あるいは、最新の識別子を報告する機能が採用されない場合もある。これにより、関連のページング・チャネルを良好に復調することのできる充分な被測定パイロット強度を有する近隣パイロットが初期のアクセス・チャネル・メッセージに報告されるが、後続のアクセス・プローブにおいて同じ識別子が報告される。同時復調のための現在の近隣パイロットをインフラストラクチャに報告することは、本発明の重要な特徴である。なぜなら、これによりワイヤレス通信装置がチャネル割当メッセージまたはその他のメッセージを受信し、良好に復調する確率が改善されるからである。
【００３６】
上記に構築され説明されるインフラストラクチャの使用と動作の方法を、図３を参照して説明する。図３は、ハンドオフに適した基地局を指定する方法３００を示す流れ図である。
【００３７】
まず、トラフィック・チャネルでのソフト・ハンドオフについて説明する。
【００３８】
図３と、インフラストラクチャおよび基地局の構造とを参照して、アナログ・フロント・エンドは、最終的にアクセス・プローブの第１番目すなわち、第１アクセス・チャネル・メッセージと呼ばれるアクセス・チャネル・メッセージを受信することに成功する（段階３０５）。インフラストラクチャは、第１組の被測定パイロット強度および対応する識別子に従って第１アクティブ集合を生成することにより、順方向トラフィック・チャネル上で送信する基地局を表すパイロットのアクティブ集合の割り振りを開始し、呼を処理するための資源の準備を開始する（段階３１０）。
【００３９】
基地局１０２がアクセス・チャネル・メッセージを受信すると、基地局１０２またはページング・チャネル・ハンドオフと同時復調の機能が採用される場合は割り振られた基地局が、アクセス・チャネル・メッセージ受信の肯定応答を送付する。これがチャネル割当メッセージとなる。チャネル割当メッセージは、ワイヤレス通信装置が順方向トラフィック・チャネルを受信するために同調すべきパイロットを表す第１アクティブ集合を指定する（段階３１５）。
【００４０】
場合によっては、たとえばページング・チャネル上に順方向リンク・エラーがある場合は、無線電話１００はアクセス・チャネル・メッセージ受信の肯定応答を受信する前に、別のアクセス・プローブを送信する。従って、基地局１０２は、別のアクセス・チャネル・メッセージを受信する（段階３２０）。これは第２アクセス・チャネル・メッセージと呼ばれ、第１アクセス・チャネル・メッセージ内のものよりも新しいパイロット強度測定値と対応する識別子とを指定する。インフラストラクチャは、この新しいほうの測定値に基づいて、第１アクティブ集合とは異なる新規のアクティブ集合をトラフィック・チャネル・ハンドオフのために指定する必要があるか否かを判定する。
【００４１】
たとえば、インフラストラクチャは第２組の被測定パイロット強度と対応する識別子とに従って、順方向チャネル・トラフィックのための第１アクティブ集合を生成し、順方向チャネル・トラフィック受信のための第１アクティブ集合と順方向チャネル・トラフィック受信のための第２アクティブ集合とを比較し（段階３２５）、第１アクティブ集合と第２アクティブ集合とが異なるか否かを判定する（段階３３０）。たとえば、それぞれのパイロット集合において１つ、または場合によってはそれ以上の異なるパイロットを指定する場合は、第１アクティブ集合と第２アクティブ集合とは異なる。
【００４２】
異なるアクティブ集合が必要でない場合は、方法は終了する（段階３４５）。異なるアクティブ集合が必要な場合は、基地局は、加入者ユニットが逆方向トラフィック・チャネル上に捕捉されるまで待機する（段階３３５）。インフラストラクチャは、第２組の被測定パイロット強度および識別子に従って第２アクティブ集合を生成することによりアクティブ集合チャネルを割り振り、呼を処理するための資源の準備を開始する（段階３４０）。割り振りは段階３３５の後に図示されるが、アクティブ集合が異なると判定されるとすぐに開始してよい。
【００４３】
さらに、基地局１０２は順方向トラフィック・チャネル上に、第２アクティブ集合を指定する拡張ハンドオフ・メッセージを送付する（段階３４０）。ここで、ワイヤレス通信装置は、第２アクティブ集合のパイロットにソフト・ハンドオフを実行することができる。
【００４４】
次にページング・チャネルでのハンドオフについて説明する。
【００４５】
アナログ・フロント・エンドは、最終的にアクセス・プローブの第１番目すなわち、第１アクセス・チャネル・メッセージと呼ばれるアクセス・チャネル・メッセージを受信することに成功する（段階３０５）。インフラストラクチャは、それぞれのページング・チャネル上に送信される各メッセージ内に識別される基地局の割り振りを開始し、ページング・チャネル・メッセージの送信を処理するための資源の準備を開始する（段階３１０）。割り振られた基地局は、それぞれのページング・チャネル上にチャネル割当メッセージなどのページング・チャネル・メッセージを送付する（段階３１５）。後続のアクセス・チャネル・メッセージが受信されると、同じ割り振りと送信とが行われる。
【００４６】
トラフィック・チャネルのためのハンドオフとページング・チャネルのためのハンドオフとは別々に説明されたが、初期およびそれに続くアクセス・チャネル・メッセージは、関連する順方向トラフィック・チャネルを良好に復調することのできる充分な被測定パイロット強度を有する近隣パイロットの被測定パイロット強度と対応する識別子と、関連するページング・チャネルを良好に復調することのできる充分な被測定パイロット強度を有する近隣パイロットの識別子とを両方とも別々に備えることができる。さらに、関連する順方向トラフィック・チャネルおよびページング・チャネルを良好に復調することのできる充分な被測定パイロット強度を有する近隣パイロットを表すただ１組の被測定パイロット強度および対応する識別子を含めることができる。
【００４７】
要するに、本発明により構築される実施例は、CDMAを採用するワイヤレス通信システムにおいて、基地局のパイロット信号強度および対応する識別子に関する情報を、アクセス・プローブ内、さらに場合によっては連続するアクセス・プローブ内のアクティブ・パイロットにより表される基地局に提供することにより、ソフト・ハンドオフを可能にする。システム・インフラストラクチャは、識別子およびパイロット信号強度に従って基地局を割り振り、アクティブ・パイロットの基地局と、被測定パイロット強度により表される近隣基地局のページング・チャネル上に、ページング信号を送信する。かくして、ワイヤレス通信装置は、CDMAのシステム・アクセス状態にある間に、複数の基地局のページング・チャネルを同時に復調することができる。
【００４８】
さらに、基地局は基地局のパイロット強度測定値と対応する識別子とを受信し、システム・インフラストラクチャはワイヤレス通信システムがハンドオフする基地局を指定し、トラフィック・チャネルを復調する。
【図面の簡単な説明】
【図１】無線電話のブロック図を含む、ワイヤレス通信システムの電気的ブロック図である。
【図２】図１に示される無線電話により採用されるパイロット信号強度を報告する方法の流れ図である。
【図３】ハンドオフに適した基地局を指定する方法を示す流れ図である。
【符号の説明】
１００  ワイヤレス通信装置
１０１  アンテナ
１０２  基地局
１０３  アナログ・フロント・エンド
１０５  アナログ−デジタル変換器
１０７  フィンガ受信機
１０９  サーチャ受信機
１１３  論理制御回路
１１５  送信経路回路
１１７  デジタル−アナログ変換器
【図１】
0003805515.tif 000002
【図２】
0003805515.tif 000003
【図３】
0003805515.tif 000004